(57)【要約】【課題】外径が異なる飲料容器も安定して保持できると共に、部品点数を少なくしてコストを抑え、また、取り付けが簡単にできる飲料容器保持具の提供。【解決手段】飲料容器を保持する保持部２を有底筒状になして弾性変形可能とし、底面の中央部から周面３の中途部まで設けられた切欠部５を備えるようにした。また、底面を構成し、かつ飲料容器を受ける受け面部同士を連結し、弾性変形量を規制する規制部を備えるようにした。また、飲料容器の取っ手を保持部２の外側に突出させる開口部６を備えるようにした。また、保持部２に連結された係止部８に一端部を取り付け、他端部に面ファスナを有する取付ベルト９を備えるようにした。また、係止部に、掴持部材と、ねじ軸を有する支持部材と、ねじ軸に掴持部材を回動可能に保持するねじ体とを備えるようにした。【選択図】        図１
2004323059.tif 000002
【特許請求の範囲】
【請求項１】
飲料容器を保持する保持部に連結された係止部を被係止物に係止して取り付ける飲料容器保持具において、
前記保持部は、底面を有する筒状をなしており、前記底面の中央部から周面の中途部まで設けられた切欠部を備え、弾性変形することを特徴とする飲料容器保持具。
【請求項２】
前記底面を構成し、かつ前記飲料容器を受ける受け面部同士を連結してあり、前記保持部の弾性変形量を規制する規制部を備えることを特徴とする請求項１に記載の飲料容器保持具。
【請求項３】
前記保持部は、前記周面の一端部から中途部まで設けられており、前記飲料容器に凸設された取っ手を外側に突出させる開口部を備えることを特徴とする請求項１又は２に記載の飲料容器保持具。
【請求項４】
一端部を前記係止部に取り付けてあり、他端部に面ファスナを有する取付ベルトを備えることを特徴とする請求項１乃至３の何れかに記載の飲料容器保持具。
【請求項５】
前記係止部は、前記被係止物を掴持する掴持部材と、前記保持部に連結されており、ねじ軸を有する支持部材と、前記ねじ軸に前記掴持部材を回動可能に保持するねじ体とを備えることを特徴とする請求項１乃至３の何れかに記載の飲料容器保持具。
【発明の詳細な説明】
【０００１】
【発明の属する技術分野】
本発明は、缶、ビン又はペットボトル等の飲料容器を保持する飲料容器保持具に関する。
【０００２】
【従来の技術】
従来、缶、ビン又はペットボトル等の飲料容器を保持する飲料容器保持具としては、飲料容器を保持する有底筒状の保持部に連結された係止部を被係止物に係止して取り付けるものがあり、このような飲料容器保持具は車両用のものがよく知られている。
【０００３】
車両用の飲料容器保持具として、上面に開口を有し、飲料容器を保持する有底の保持部と、この保持部の後部上面に回動自在に取り付けられ、保持部の上面開口の大きさを制限する制限部材と、車両のエアーコンディショナー（以下、エアコンという）の吹き出し口に設けられたルーバーに着脱自在に係止する一対の係止部とを備えるものがある（例えば、特許文献１参照。）。この飲料容器保持具は、前記係止部によりエアコンの吹き出し口に取り付けることができ、また、前記制限部材を回動させることにより前記保持部の上面開口の大きさを制限できるから、外径が異なる飲料容器も安定して保持できる。
【０００４】
【特許文献１】
実用新案登録第２５７２８００号公報
【０００５】
【発明が解決しようとする課題】
しかしながら、特許文献１に記載された飲料容器保持具は、外径が異なる飲料容器を安定して保持するために、別体の前記制限部材が必要であり、部品点数が多くなってコストが高くなるという問題があった。
【０００６】
また、前記係止部は、エアコンのルーバーに取り付けることを前提にしているため、飲料容器保持具を取り付ける場所がエアコンの吹き出し口に限定されるという問題もあった。
【０００７】
本発明は斯かる事情に鑑みてなされたものであり、飲料容器保持具の保持部の構成を工夫することにより、外径が異なる飲料容器も安定して保持できると共に、部品点数を少なくしてコストを抑え、また、係止部の構成を工夫することにより、取り付け場所の自由度が高く、簡単確実に取り付けできる飲料容器保持具を提供することを目的とする。
【０００８】
【課題を解決するための手段】
第１発明に係る飲料容器保持具は、飲料容器を保持する保持部に連結された係止部を被係止物に係止して取り付ける飲料容器保持具において、前記保持部は、底面を有する筒状をなしており、前記底面の中央部から周面の中途部まで設けられた切欠部を備え、弾性変形することを特徴とする。
【０００９】
第１発明においては、保持部は、底面を有する筒状をなしており、底面の中央部から周面の中途部まで設けられた切欠部を備え、弾性変形するから、保持部の内径よりも大きい外径を有する飲料容器を保持部に導入した場合、保持部は、切欠部が広がるように弾性変形し、外径が大きい飲料容器も保持する。このような保持部は、複数の部材を組み合わせることなく、一つの部材で形成でき、部品点数が少ない。
【００１０】
第２発明に係る飲料容器保持具は、第１発明における前記底面を構成し、かつ前記飲料容器を受ける受け面部同士を連結してあり、前記保持部の弾性変形量を規制する規制部を備えることを特徴とする。
【００１１】
第２発明においては、底面を構成し、かつ飲料容器を受ける受け面部同士を連結してあり、保持部の弾性変形量を規制する規制部を備えるから、保持部の弾性変形を許容しつつ、この弾性変形を一定以下に規制する。
【００１２】
第３発明に係る飲料容器保持具においては、第１発明又は第２発明における前記保持部は、前記周面の一端部から中途部まで設けられており、前記飲料容器に凸設された取っ手を外側に突出させる開口部を備えることを特徴とする。
【００１３】
第３発明においては、保持部は、周面の一端部から中途部まで設けられており、飲料容器に凸設された取っ手を保持部の外側に突出させる開口部を備えるから、飲料容器に設けられた取っ手を開口部に導入することにより取っ手が保持部の外側に突出し、取っ手がある飲料容器でも安定して保持する。
【００１４】
第４発明に係る飲料容器保持具は、第１発明乃至第３発明の何れかにおいて、一端部を前記係止部に取り付けてあり、他端部に面ファスナを有する取付ベルトを備えることを特徴とする。
【００１５】
第４発明においては、一端部を前記係止部に取り付けてあり、他端部に面ファスナを有する取付ベルトを備えるから、取付ベルトを被係止物に巻き付けて固定することにより飲料容器保持具を取り付けることができる。
【００１６】
第５発明に係る飲料容器保持具は、第１発明乃至第３発明の何れかにおいて、前記係止部は、前記被係止物を掴持する掴持部材と、前記保持部に連結されており、ねじ軸を有する支持部材と、前記ねじ軸に前記掴持部材を回動可能に保持するねじ体とを備えることを特徴とする。
【００１７】
第５発明においては、掴持部材にて被係止物を掴持することにより飲料容器保持具を取り付けることができる。また、ねじ体を操作することにより保持部を被係止物に対して傾斜させることができるため、被係止物が傾斜していても、保持部の角度を調整することができ、保持部に保持した飲料容器の内容物がこぼれない。
【００１８】
【発明の実施の形態】
以下、本発明をその実施の形態を示す図面に基づいて詳述する。
【００１９】
実施の形態１
図１は、実施の形態１の飲料容器保持具の斜視図である。また、図２は、前記飲料容器保持具の側面図であり、図３は、前記飲料容器保持具の底面図である。
【００２０】
図において１は飲料容器保持具であり、飲料容器保持具１は、缶、ビン又はペットボトル等の飲料容器を保持する保持部２を備えている。この保持部２は、底面４を有する円筒状をなしており、底面４側の逆側となる周面３の一端部側は拡径されている。保持部２の底面４側の内径は、飲料容器である缶ジュースの細缶の外径に対応している。また、保持部２は、ポリプロピレンにより形成され、弾性変形することが可能とされている。
【００２１】
この保持部２は、底面４の中央部から周面３の一端部近傍まで設けられた４つの切欠部５，５，…を周方向に等配して備えている。この切欠部５，５，…を備えることにより保持部２は、底面４側の内径よりも大きい外径を有する飲料容器が導入された場合に、切欠部５，５，…の幅が広がるように弾性変形する。
【００２２】
保持部２の底面４を構成し、かつ飲料容器を受ける４つの受け面部４０，４０，…同士は、別体の規制部７，７により連結されている。この規制部７，７は、帯状の部材が湾曲した形状をなすものであり、保持部２と同一の材料にて形成され、弾性変形することが可能とされている。規制部７，７は、突出する方を底面４側の逆側にして互いに交叉するように配置され、両端部夫々を受け面部４０，４０，…夫々に固定している。このような規制部７，７により保持部２の弾性変形量は、受け面部４０，４０，…同士が離れるように弾性変形する場合、規制部７，７が弾性変形できる範囲に限定され、一定以下に規制されるようにしてある。
【００２３】
また、保持部２には、周面３の一端部から中途部まで設けられた２つの開口部６，６が、径方向に対向するように形成されている。飲料容器の側面に取っ手が凸設されていても、この開口部６，６に取っ手を導入することにより取っ手が保持部２の外側に突出し、飲料容器は保持部２に保持される。
【００２４】
保持部２の周面３の中途部外側には、軸長方向に略直交する方向へ突出する連結軸３０が一体に設けられている。この連結軸３０には、玉継手３１を介して係止部８が連結されており、係止部８は、保持部２に対して回動及び揺動が可能にされている。
【００２５】
係止部８は、保持部２と同一の材料にて形成され、連結軸３０に連結された基部８０と、この基部８０に組み付けられる当接部８１とを備えている。基部８０は、適宜の厚さを有する矩形の板状をなしており、連結軸３０に対して略直交するように配されている。基部８０の連結軸３０側となる一面に対向する他面には、矩形の凹部（図示せず）が形成されている。この凹部には、ポリプロピレン等の合成樹脂よりも摩擦係数が高い合成ゴム等の弾性材料により形成された別体の当接部８１が組み付けられている。当接部８１は、前記凹部に対応する断面を有し、適宜の厚さとされたブロック状の部材であり、前記凹部に組み付けられる側の逆側の面には、底面が半円状をなす組付溝８２が横切るように形成されている。このような当接部８１は、被係止物に当接され、被係止物との滑りによる飲料容器保持具１の位置ずれを防止する。
【００２６】
基部８０の一面及び他面を構成する一辺の近傍及びこの一辺に対向する他辺の近傍には、一面から他面に貫通した固定孔８３，８３が設けられている。一方の固定孔８３には、基部８０の他面側から導入して挿通した一端部を導入側にて自身に固定してあり、他端部を自由とした帯状の面ファスナからなる取付ベルト９が取り付けられている。この取付ベルト９は、雄側突起と雌側突起とが一面側に混在して設けられており、他方の固定孔８３に他端部を挿通したとき、前記一面側が外向きになるように取り付けられている。このような取付ベルト９により飲料容器保持具１は、被係止物に簡単確実に取り付けられるようにしてある。
【００２７】
図４は、飲料容器保持具１の取り付けを説明する係止部８近傍の斜視図であり、図５は、ベビーカーに取り付けられた飲料容器保持具１を示す図面である。
【００２８】
以上のように構成された飲料容器保持具１は、例えば、ベビーカーのフレーム９０に取り付けられる。この取り付けは、当接部８１に形成された組付溝８２の内部にフレーム９０を導入すると共に、取付ベルト９をフレーム９０に巻き付け、基部８０の他面側から他方の固定孔８３に導入して挿通した取付ベルト９の他端部を折り返して自身に当接することによりなされる。
【００２９】
図６は、飲料容器を保持した保持部２の斜視図である。
【００３０】
取付ベルト９により被係止物に取り付けられた飲料容器保持具１には、飲料容器を保持することができる。図６（ａ）に示したように飲料容器が、例えば、缶ジュースの細缶１０の場合は、保持部２の底面４側の内径が細缶１０の外径に対応しているから、細缶１０を保持部２に導入すれば、ガタつくことなく安定して保持できる。
【００３１】
また、図６（ｂ）に示したように飲料容器が、例えば、缶ジュースの太缶１１の場合は、太缶１１を保持部２に導入することにより切欠部５，５，…（図には一つ図示）が広がるように保持部２が弾性変形するから、保持部２の底面４側の内径よりも大きい外径を有する飲料容器も保持部２に導入することができ、安定して保持できる。
【００３２】
さらに、図６（ｃ）に示したように飲料容器が、例えば、側面に取っ手が凸設された哺乳ビン１２の場合は、取っ手を開口部６，６（図には一つ図示）に導入して保持部２の外側に突出させることができるから、取っ手付きの飲料容器も保持部２に導入して保持することができる。また、前述したように保持部２は弾性変形するから、取っ手付きの飲料容器の外径が保持部２の底面４側の内径より大きくても、保持部２に導入することができ、安定して保持できる。
【００３３】
実施の形態２
図７は実施の形態２の飲料容器保持具の側面図、図８は図７のＡ−Ａ線による断面図、図９はベビーカーに取り付けられた実施の形態２の飲料容器保持具を示す図面である。実施の形態２に示す飲料容器保持具は、実施の形態１に示した飲料容器保持具１に対して略同様の構成を有するため、同様の構成については同じ参照符号を付し、その構成の詳細な説明及び作用の説明を省略する。
【００３４】
図において２０は飲料容器保持具であり、飲料容器保持具２０は、実施の形態１の飲料容器保持具１に対して係止部８ａの構成が異なり、保持部２の構成は同一とされている。
【００３５】
保持部２の連結軸３０には、玉継手３１を介して板状をなす支持部材８４が連結されている。この支持部材８４の一面には、中央部に挿通孔８４ａが設けられており、支持部材８４は、この挿通孔８４ａに挿通支持されたボルトからなるねじ軸８５を有している。支持部材８４の一面側には、長手方向一端がヒンジ８６ｃによって開閉可能に連結され、他端に掴持凹部８９ａ，８９ａを有する矩形の一対の掴持片８６ａ，８６ｂからなる掴持部材８６が位置している。掴持片８６ａ，８６ｂのヒンジ８６ｃ及び掴持凹部８９ａ，８９ａ間には貫通孔８６ｄ，８６ｅが穿設されており、支持部材８４のねじ軸８５は、この貫通孔８６ｄ，８６ｅも挿通している。掴持片８６ａ，８６ｂの間には、掴持片８６ａ，８６ｂを離間方向へ付勢するコイルバネ８７が介在されている。また、支持部材８４の他面側には、ねじ軸８５に掴持部材８６を回動可能に保持するねじ体８８が位置しており、ねじ体８８は、ねじ軸８５の先端部に螺合されている。なお、掴持片８６ａ，８６ｂの内側には、合成ゴム等の弾性材料で作製された緩衝板８９，８９が保持されている。このような支持部材８４、ねじ軸８５、掴持部材８６、コイルバネ８７、ねじ体８８及び緩衝板８９，８９により係止部８ａが構成されている。
【００３６】
このような構成により、ねじ体８８は、掴持部材８６をねじ軸８５に回動自在に保持しており、保持部２は掴持部材８６に対して角度調整ができる。また、ねじ体８８を回動操作することにより、ヒンジ８６ｃを支点として掴持片８６ａ，８６ｂを揺動させることができ、掴持凹部８９ａ，８９ａ間の間隔を調節してベビーカーのフレーム９０等の被係止物を掴持することができるから、飲料容器保持具２０を簡単に取り付けることが可能である。
【００３７】
なお、支持部材８４及び掴持部材８６の対接面には、凹凸の菊座８４ｂが設けられており、この菊座８４ｂによって掴持部材８６の回動位置を確実に維持することができるようにしてある。
【００３８】
前述の実施の形態１又は２では、保持部２を形成する材料をポリプロピレンとしたが、保持部２を形成する材料は、ポリプロピレンに限らず、弾性変形可能な材料であればよい。
【００３９】
また、切欠部５，５，…を４つとしたが、切欠部５，５，…の数は、４つに限らない。また、開口部６，６を２つとしたが、開口部６，６の数は、２つに限らない。
【００４０】
また、規制部７，７は、帯状の部材が湾曲した形状にすると共に、保持部２と同一の材料により形成され、弾性変形することが可能としたが、規制部７，７の構成は、これに限らず、保持部２の弾性変形量を一定以下に規制する構成であればよい。また、規制部７，７は、受け面部４０，４０，…と別体にしてあるが、一体に形成してもよい。
【００４１】
また、取付ベルト９は、雄側突起と雌側突起とが一面側に混在して設けられた面ファスナとしたが、取付ベルト９の構成は、これに限らず、例えば、雄側突起と雌側突起とが混在せず、適宜の範囲に分かれて設けられた面ファスナでもよい。また、取付ベルト９の全てが面ファスナである必要もなく、取付ベルト９の他端部に面ファスナが設けられていればよい。
【００４２】
また、本発明に係る飲料容器保持具１，２０の形状及び構成は、前述した実施の形態１又は２に限らず、本発明の趣旨を逸脱しない範囲にて変更することも可能である。
【００４３】
さらに、前述の実施の形態１又は２では、飲料容器保持具１，２０をベビーカーのフレーム９０に取り付けたが、飲料容器保持具１，２０を取り付ける場所は、ベビーカーのフレーム９０に限らず、自転車のハンドル若しくはフレーム、又は車両に設けられたシートのヘッドレストのパイプ等、棒状をなす部分に取り付けることができる。また、当接部８１の形状は、前述の形状に限定されず、例えば、板状にすれば、飲料容器保持具１は、棒状をなす部分に限らず、取付ベルト９が固定できる外周長を有する部分に取り付けることができるから、取り付け場所の自由度が高い。
【００４４】
【発明の効果】
以上、詳述したように、第１発明に係る飲料容器保持具は、保持部が弾性変形するから、保持部の内径よりも大きい外径を有する飲料容器であっても、保持部に導入することができ、色々なサイズの飲料容器を安定して保持できる。このような保持部は一つの部材として形成できるから、部品点数を少なくでき、コストも低く抑えることができる。
【００４５】
また、第２発明に係る飲料容器保持具は、保持部の弾性変形量を規制できるから、必要な弾性変形量を確保しつつ、保持部の剛性を上げることができ、保持部の内径よりも大きい外径を有する飲料容器を保持部に導入し易い。
【００４６】
また、第３発明に係る飲料容器保持具は、側面に取っ手が凸設された飲料容器であっても、取っ手を開口部から保持部の外側に突出させることにより保持部に導入することができるから、このような取っ手付きの飲料容器も保持できる。
【００４７】
また、第４発明に係る飲料容器保持具は、被係止物への取り付けが簡単確実にできると共に、取り付け場所の自由度が高い。
【００４８】
さらに、第５発明に係る飲料容器保持具は、掴持部材にて被係止物を掴持することにより簡単に取り付けることができ、また、ねじ体を操作することにより保持部の角度調整が簡単にできる等、本発明は優れた効果を奏する。
【図面の簡単な説明】
【図１】実施の形態の飲料容器保持具の斜視図である。
【図２】前記飲料容器保持具の側面図である。
【図３】前記飲料容器保持具の底面図である。
【図４】飲料容器保持具の取り付けを説明する係止部近傍の斜視図である。
【図５】ベビーカーに取り付けられた飲料容器保持具を示す図面である。
【図６】飲料容器を保持した保持部の斜視図である。
【図７】実施の形態の飲料容器保持具の側面図である。
【図８】図７のＡ−Ａ線による断面図である。
【図９】ベビーカーに取り付けられた実施の形態の飲料容器保持具を示す図面である。
【符号の説明】
１，２０  飲料容器保持具
２  保持部
３  周面
４  底面
５  切欠部
６  開口部
７  規制部
８，８ａ  係止部
９  取付ベルト
１０  細缶（飲料容器）
１１  太缶（飲料容器）
１２  哺乳ビン（飲料容器）
４０  受け面部
８３  固定孔
８４  支持部材
８５  ねじ軸
８６  掴持部材
８８  ねじ体
９０  フレーム（被係止物）
【図１】
2004323059.tif 000003
【図２】
2004323059.tif 000004
【図３】
2004323059.tif 000005
【図４】
2004323059.tif 000006
【図５】
2004323059.tif 000007
【図６】
2004323059.tif 000008
【図７】
2004323059.tif 000009
【図８】
2004323059.tif 000010
【図９】
2004323059.tif 000011